(57)【要約】  【課題】  昇降装置のコストを低減すると共に、耐久性を向上させること。  【解決手段】  昇降機３がラックレール２に沿って昇降する昇降装置１のラックレール２に、長手方向にチェーン４を設ける。ラックレール２は長尺のＨ型鋼で構成し、ラックレール２の一方のフランジ２ａの表面にチェーン４を配置する。チェーン４の上端部はラックレール２上に突設したブラケット５ａに支持されたボルト５ｂを横から貫通させて支持する。チェーン４の下端にはウエイト板６を連結する。ウエイト板６は、ラックレール２のフランジ２ａに突設された二本のガイドボルト７を上下方向に移動自由に貫通させる長孔６ａを設ける。昇降機３には、チェーン４に係合してモータ１３により回転駆動する駆動スプロケット１２と、チェーン４に係合して遠心ブレーキ１６を作動させる制動スプロケット１５と、進行方向に対して前後左右のぶれを規制するガイドローラ１４とを設ける。【選択図】  図２
2006143398.tif 000002
【特許請求の範囲】
【請求項１】
昇降対象構造物に沿って縦方向に固定されたラックレールと、このラックレールに沿って上下に移動可能な昇降機とを備え、昇降機に作業者を乗せて昇降対象構造物を昇降する昇降装置であって、
前記ラックレールは、Ｈ型鋼に延長方向にチェーンを設けて構成され、
前記昇降機は、前記ラックレールのチェーンに係合するモータ駆動のスプロケットを具備することを特徴とする昇降対象構造物の作業用昇降装置。
【請求項２】
前記昇降機は、前記ラックレールのチェーンに係合する制動スプロケットを有する制動機構を具備し、制動機構が所定の下降移動速度に達したら作動することを特徴とする請求項１に記載の昇降対象構造物の作業用昇降装置。
【請求項３】
前記昇降機には前記ラックレール上を転動して昇降機の進行方向を規制するガイドローラを具備することを特徴とする請求項１又は２に記載の昇降対象構造物の作業用昇降装置。
【発明の詳細な説明】
【技術分野】
【０００１】
本発明は、電線鉄塔や風力タワー等のほぼ垂直に立てられた昇降対象構造物に沿って上下に移動し、作業者を昇降させて、昇降対象構造物上の保守、点検等の作業を行うための昇降装置に関するものである。
【背景技術】
【０００２】
昇降対象構造物上の保守、点検作業を行うときには、昇降装置が使用されている（特許文献１参照）。この昇降装置は、電線鉄塔に沿って縦方向に固定されるラックレールと、作業者を乗せてラックレールに沿って上下に移動する昇降機とを備えている。ラックレールは、昇降機上のモータで駆動する駆動スプロケットが係合するラック孔やピンラックを延長方向に並べて多数設けた長尺形鋼で構成されている。
【特許文献１】特開２００２−８７７３３号公報
【発明の開示】
【発明が解決しようとする課題】
【０００３】
上記従来の昇降装置においては、ラック孔やピンラックを設けたレールの構成が簡単でなく、専用のものとして製作されるので、コスト高となるし、スプロケットとの係合時にスムーズに噛み合い難く、角形のラック孔の縁やピンが摩耗し易く、耐久性に欠ける。
そこで、本発明は、ラックレールを簡易に構成し、コストを低減すると共に、ラックレールとスプロケットとを円滑に係合させ、耐久性を向上させる昇降装置を提供することを課題としている。
【課題を解決するための手段】
【０００４】
上記課題を解決するため、第１の発明においては、昇降対象構造物Ｔに沿って縦方向にラックレール２を固定し、このラックレール２に沿って昇降機３を上下に移動可能に設けた昇降装置１を構成する。ラックレール２はＨ型鋼に延長方向にチェーン４を設け、昇降機３はモータ１３で駆動するスプロケット１２をラックレール２のチェーン４に係合させるように設けた。
第２の発明においては、昇降機３に、ラックレール２のチェーン４に係合する制動スプロケットを有する制動機構を設け、所定の下降移動速度に達したら制動機構が作動するようにした。
第３の発明においては、昇降機３にラックレール２上を転動して昇降機３の進行方向を規制するガイドローラ１４を設けた。
【発明の効果】
【０００５】
本発明においては、市販の鋼材に簡便な加工を施すのみで、ラックレールを簡易に構成でき、安価に製作できる。ラックレールのチェーンと昇降機のスプロケットが円滑に噛み合うので、係合による摩耗が小さく、耐久性を向上させることができる。
【発明を実施するための最良の形態】
【０００６】
図面を参照して本発明の実施の形態を説明する。
図１，図２において、昇降装置１は、ラックレール２に昇降機３が係合して、モータの駆動で昇降するものである。ラックレール２は、昇降対象構造物Ｔに沿って延長方向に固定される。このラックレール２には長手方向にチェーン４が設けられている。ラックレール２は長尺のＨ型鋼で構成され、一方のフランジ２ａの表面にチェーン４が配置される。図３，図４に示すように、チェーン４は、上端部がラックレール２上に横方向の間隔を置いて対向して突設されたブラケット５ａ，５ａに支持された上下位置の異なる三本のボルト５ｂが横から貫通して支持される。チェーン４は上端の支持位置から垂下し、下端部にウエイト板６が連結されている。ウエイト板６は、ラックレール２のフランジ２ａに突設された二本のガイドボルト７を上下方向に相対移動自由に貫通させる長孔６ａを有し、チェーン４の伸縮を許容する。
【０００７】
昇降機３は、作業者が立つことができるステップを上面に有する箱形のケーシング８を備え、このケーシング８上に略Ｔ字状の手摺９がほぼ垂直に立設されている。手摺９にはスイッチ１０ａを備えた握り１０を有する。手摺９には作業者に繋がる安全帯Ｂが連結される。なお、手摺９の上方には、「有人操作」、「無人下降」、「無人上昇」「非常停止」の動作モードを選択するのための操作スイッチ１１が設けられている。手摺９における操作スイッチ１１の下部には、ラックレール２の上端部に突設された上限ドグ２ｂに当接して上昇する昇降機３を停止動作させる上限リミットスイッチ１０ｂが設けられている。
【０００８】
ケーシング８の前部には、ラックレール２上のチェーン４に係合してモータ１３により回転駆動される駆動スプロケット１２が設けられている。モータ１３はケーシング８内に組み込まれた電源に接続されており、その出力軸が減速機を介して駆動スプロケット１２に連結されている。手摺９の途上には、ラックレール２に対する昇降機３の進行に対して前後左右のぶれを規制するために、ラックレール２のフランジ２ａ上を転動するガイドローラ１４が回動自在に設けられている。また、ケーシング８内には、ラックレール２のチェーン４に係合する制動スプロケット１５が遠心ブレーキ１６に結合されている。制動スプロケット１５は駆動スプロケット１２と上下異なる高さ位置でチェーン４に反対側から係合するように設けられている。ケーシング８の下部には、ラックレール２の下端部に突設された下限ドグ２ｃに当接して下降する昇降機３を停止動作させる下限リミットスイッチ１０ｃが設けられている。
【０００９】
この装置１を用いて鉄塔を昇る場合には、作業者は安全帯Ｂを手摺９に連結し、ケーシング８に乗り、昇降機３の電源を入れ、操作スイッチ１１の「有人操作」モードを選択する。昇降機３は手元の操作スイッチ１０ａを操作することによりモータ１３と共に駆動スプロケット１２がチェーン４に係合しながら回転して作業者を乗せてレール２に沿って上昇する。このとき、作業者は握り１０につかまることにより安全が確保される。もし、故障等により昇降機３が急下降したときは、モータ１３自体の制動作用に加えて制動スプロケット１５を介して遠心ブレーキ１６により落下が阻止される。鉄塔Ｔの所望の高さ位置に達したら、スイッチ１０ａを操作して、モータ１３を止め昇降機３を停止させる。この状態で、作業者は安全帯Ｂを手摺１０から外して他へ移動するなどして高所作業を行う。
【００１０】
また、作業者が鉄塔を下降する場合にも、上記とほぼ同様にして、操作スイッチ１０ａでモータ１３を反転させ、駆動スプロケット１２がチェーン４に係合しながら回転して下降する。このときも、昇降機３の急下降は遠心ブレーキ１６により阻止される。地面付近に達したら、操作スイッチ１０ａを操作して、モータ１３を止め、昇降機３を停止させる。
【００１１】
昇降機３は作業者を乗せずに単独で昇降させる場合には、モード選択スイッチ１１を「無人下降」又は「無人上昇」のモードを選択すれば、無人で昇降させることができる。「無人上昇」において上昇中、上限リミットスイッチ１０ｂがラックレール２の上限ドグ２ｂを検知することにより昇降機３が自動停止し、「無人下降」において下降中、下限リミットスイッチ１０ｃがラックレール２の下限ドグ２ｃを検知することにより昇降機３が自動停止する。
【００１２】
ラックレール２は、下端部にウエイト板６を連結したチェーン４の上端部をラックレール２を構成する汎用のＨ型鋼上に設けたブラケット５ａに支持させれば、簡単に取り付けることができる。また、下端のウエイト板６が上下に移動自在であるから、駆動スプロケット１２との係合によるチェーン４の伸縮を無理なく許容するし、円滑に噛み合うので、係合による摩耗が少ない。
【産業上の利用可能性】
【００１３】
本発明は、ステップ等の昇降設備が取り付いていないほぼ垂直に立てられた昇降対象構造物を作業者を載せて昇降するのに有効である。
【図面の簡単な説明】
【００１４】
【図１】本発明に係る昇降装置の側面図である。
【図２】昇降装置の正面図である。
【図３】ラックレールの側面図である。
【図４】ラックレールの正面図である。
【符号の説明】
【００１５】
１    昇降装置
２    ラックレール
２ａ  フランジ
２ｂ  上限ドグ
２ｃ  下限ドグ
３    昇降機
４    チェーン
５ａ  ブラケット
５ｂ  ボルト
６    ウエイト板
６ａ  長孔
７    ガイドボルト
８    ケーシング
９    手摺
１０    握り
１０ａ  操作スイッチ
１０ｂ  上限リミットスイッチ
１０ｃ  下限リミットスイッチ
１１    モード選択スイッチ
１２    駆動スプロケット
１３    モータ
１４    ガイドローラ
１５    制動スプロケット
１６    遠心ブレーキ
Ｔ    昇降対象構造物
【図１】
2006143398.tif 000003
【図２】
2006143398.tif 000004
【図３】
2006143398.tif 000005
【図４】
2006143398.tif 000006